(57)【要約】【課題】誘導レールから遊技領域へ打ち出された遊技球をこの遊技領域の右側に容易に誘導する。【解決手段】遊技球発射ハンドル８４で弾発力を調節して発射させた遊技球ｂを、遊技機１０の遊技領域へ導く誘導レール７７，７８を備えた遊技機１０であり、遊技領域へ打ち出された遊技球ｂをこの遊技領域の上部右側まで案内する遊技球案内部材７０１と、この遊技球案内部材７０１に配置された、遊技球ｂの速度を減衰させる緩衝材７０４と、を備えた。【選択図】図１２
2019150687.tif 000002
【特許請求の範囲】
【請求項１】
遊技球発射ハンドルで弾発力を調節して発射させた遊技球を、遊技機の遊技領域へ導く誘導レールを備えた遊技機であって、
打ち出された遊技球を前記遊技領域の上部右側まで案内する遊技球案内部材と、
前記遊技球案内部材に配置された、遊技球の速度を減衰させる緩衝材と、を備えた、ことを特徴とする遊技機。
【発明の詳細な説明】
【技術分野】
【０００１】
本発明は、パチンコ、スロットマシンあるいはメダルの代わりに遊技球でスロットマシンの遊技をするパロット等の遊技機に関する。
【背景技術】
【０００２】
遊技機の一種であるパチンコ機は、球受け皿内の遊技球を遊技領域の上流へ向けて発射し、遊技領域（遊技盤）を流下する遊技球が遊技領域に配された入賞口に入球すると、遊技者は所定個数の賞球を受けることができる遊技機である。この遊技領域の外周縁には誘導レールが設けられ、遊技球発射機構から発射されて遊技領域に進入した遊技球は遊技領域内を流下する。遊技球発射ハンドルを最大強さとなるように操作することにより遊技球発射機構から発射（右打ち）された遊技球が強力な力で発射されたときは、遊技球は誘導レールの上部に沿って右方向へ移動し、遊技領域の右上部分に配置された返しゴムにて跳ね返って遊技領域内に落下するようになっている。
【０００３】
遊技球発射機構から遊技領域の上部に発射された遊技球が、この遊技領域の右側に配置された入賞口に入球し易くする遊技機について、例えば特許文献１の特開２０１０−２２５８１の「遊技盤ユニット、及びパチンコ遊技機」が提案されている。
【先行技術文献】
【特許文献】
【０００４】
【特許文献１】特開２０１０−２２５８１
【発明の概要】
【発明が解決しようとする課題】
【０００５】
しかし、遊技領域の右側に入賞口が配置されている遊技機では、遊技球発射機構の弾発力が低下して右打ちできないと遊技の興趣を削がれるという問題があった。
特許文献１の「遊技盤ユニット」は強く打ち出された遊技球の球勢を減衰するものであり、このような遊技球発射機構の弾発力が低下したものを解消するものではなかった。
【０００６】
本発明は、上述した問題点等を解決するために創案されたものである。すなわち、本発明の目的は、誘導レールから遊技領域へ打ち出された遊技球をこの遊技領域の右側に誘導
しやすい遊技機を提供することにある。
【課題を解決するための手段】
【０００７】
本発明は、遊技球発射ハンドルで弾発力を調節して発射させた遊技球を、遊技機の遊技領域へ導く誘導レールを備えた遊技機であって、打ち出された遊技球を前記遊技領域の上部右側まで案内する遊技球案内部材と、前記遊技球案内部材に配置された、遊技球の速度を減衰させる緩衝材と、を備えた、ことを特徴とする。
【発明の効果】
【０００８】
上記構成では、弱く打ち出された遊技球について、遊技球案内部材に到達すれば、この遊技球案内部材の上面を転がって遊技領域の右側まで案内することができる。一方、強く打ち出された遊技球については、遊技球案内部材の右端に位置する緩衝材に当接させてから遊技領域の右側まで案内する。その後、遊技球を遊技領域の右側に落下させることができる。なお、遊技球発射ハンドルの操作で遊技球発射機構から弱く打ち出したときに限定されず、遊技球発射機構の弾発力が低下したときでも右打ちすることが可能になる。
【図面の簡単な説明】
【０００９】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１のパチンコ機における誘導レール（内レール部、外レール部）、遊技球案内部材ユニットと遊技盤を示す正面図である。
【図１２】実施例１の遊技球案内部材ユニットを示す拡大正面図である。
【図１３】実施例１の案内部材本体の変形例を示す拡大正面図である。
【図１４】実施例１の緩衝材を示す拡大正面図である。
【図１５】実施例１の緩衝材の変形例を示す拡大正面図である。
【図１６】実施例１の案内部材本体の変形例を示す拡大正面図である。
【図１７】実施例２の遊技球案内部材ユニットを示す拡大正面図である。
【図１８】実施例２の緩衝材の変形例を示す拡大正面図である。
【図１９】実施例２の案内部材本体の変形例を示す拡大正面図である。
【発明を実施するための形態】
【００１０】
以下、本発明の好ましい実施の形態を図面を参照して説明する。
図１は本発明の実施例１のパチンコ機１０を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。特に、本発明では、後述するように、この外枠１１と遊技機主部２１とが着脱自在に分離する構造になっている。
【００１１】
＜遊技機１０の全体構成＞
外枠１１は、板材１２〜１５を四辺に連結し構成されるものであって矩形枠状をなしている。外枠１１を構成する板材１２〜１５は、左右の板材１２，１３がアルミなどの金属
製となっており、上下の板材１４，１５が木製となっている。パチンコ機１０は、外枠１１の上下の板材１４，１５を島設備に取り付け固定することにより、遊技ホールに設置される。
【００１２】
上記のように左右の板材１２，１３を金属製とするとともに上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１３】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１４】
遊技機主部２１は、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１５】
遊技機前面ユニット２３には、手前側へ膨出した第１膨出部９５が窓パネル部９１の下方に設けられており、その第１膨出部９５内側には、上方に開口した上皿９５ａが設けられている。上皿９５ａは、第１払出口より払い出された遊技球を一旦貯留し、一列に整列させながら下流側（本実施の形態では右側）へ導くための球受皿である。
【００１６】
第１膨出部９５には、上皿９５ａの下流側に上皿球抜きスイッチが設けられるとともに、上皿９５ａの前方に貸球操作部が配設されている。上皿球抜きスイッチは、上皿９５ａに貯留された遊技球を排出するために操作されるものである。
【００１７】
貸球操作部には、球貸しボタンと、返却ボタンとが設けられている。球貸しボタンは、カード等（記録媒体）に記録された情報に基づいて貸出球を得るために操作されるものであり、カード等に残額が存在する限りにおいて貸出球が払い出される。返却ボタンは、カードユニットに挿入されたカード等の返却を求める際に操作される。
【００１８】
また、第１膨出部９５の前面側中央部には、球貸しボタンと返却ボタンとの間に、遊技者により操作可能なプッシュ式の演出スイッチが設けられている。演出スイッチには図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチを操作された場合、後述する図柄表示装置７１の表示モードが変更されるようになっている。
【００１９】
遊技機前面ユニット２３の下部位置には、手前側へ膨出した第２膨出部９６が設けられており、その第２膨出部９６内側には、上方に開口した下皿９６ａが設けられている。下皿９６ａは、第２払出口より払い出された遊技球を一旦貯留するための球受皿である。下皿９６ａには、例えば下皿球抜きスイッチを操作された場合、上皿９５ａに貯留された遊技球が第２払出口より排出されるようになっている。
【００２０】
第２膨出部９６前面側には、下皿９６ａに貯留された遊技球を下方に排出するための上
球抜きスイッチが設けられている。また、第２膨出部９６の右方には、手前側へ突出するようにして遊技球発射ハンドル８４が設けられている。遊技球発射ハンドル８４は、板材１２（外枠１１）の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００２１】
遊技機ベースユニット２２は、図２及び図３に示すように、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５が設けられており、シリンダ錠３５の操作によって連動杆３２を上方向又は下方向のうち予め定められた方向に移動させると、外枠１１に対する遊技機ベースユニット２２の施錠状態が解除される。
【００２２】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２３】
次に、遊技機ベースユニット２２、遊技機前面ユニット２３及び裏パックユニット２４のそれぞれについて詳細に説明する。
＜遊技機ベースユニット２２＞
先ず、遊技機ベースユニット２２の構成について詳細に説明する。図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
【００２４】
遊技機ベースユニット２２は、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００２５】
遊技盤６１は合板よりなり、遊技盤６１の前面に形成された遊技領域が樹脂ベース４１の窓孔５１を通じて遊技機ベースユニット２２の前面側に露出した状態となっている。
【００２６】
ここで、遊技盤６１の構成を図６に基づいて説明する。遊技盤６１には、ルータ加工が施されることによって前後方向に貫通する大小複数の開口部が形成されている。各開口部には一般入賞口６２，可変入賞装置６３，上作動口６４，下作動口６５，スルーゲート６６及び可変表示ユニット６７等がそれぞれ設けられている。このうち、可変入賞装置６３、上作動口６４、下作動口６５及び可変表示ユニット６７は、遊技盤６１の左右方向の中央において上下方向に並べて設けられており、上から可変表示ユニット６７、上作動口６４、下作動口６５及び可変入賞装置６３の順となっている。また、一般入賞口６２は、遊
技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２７】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２８】
その他に、遊技盤６１の最下部にはアウト口６８が設けられており、各種入賞口等に入らなかった遊技球はアウト口６８を通って遊技領域から排出される。また、遊技盤６１には、遊技球の落下方向を適宜分散、調整等するために多数の釘６９が植設されていると共に、風車等の各種部材（役物）が配設されている。
【００２９】
可変表示ユニット６７には、いずれかの作動口６４，６５への入賞をトリガとして図柄を可変表示する図柄表示装置７１が設けられている。また、可変表示ユニット６７には、図柄表示装置７１を囲むようにしてセンターフレーム７２が配設されている。センターフレーム７２の上部には、第１特定ランプ部７３及び第２特定ランプ部７４が設けられている。また、センターフレーム７２の上部及び下部にはそれぞれ保留ランプ部７５，７６が設けられている。下側の保留ランプ部７５は、図柄表示装置７１及び第１特定ランプ部７３に対応しており、遊技球が作動口６４，６５を通過した回数は最大４回まで保留され保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され保留ランプ部７６の点灯によってその保留個数が表示されるようになっている。
【００３０】
図柄表示装置７１は、液晶ディスプレイを備えた液晶表示装置として構成されており、後述する表示制御装置により表示内容が制御される。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００３１】
第１特定ランプ部７３では、作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００３２】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３３】
可変入賞装置６３は、開閉手段としての開閉扉６３ａが通常は遊技球が入球できない又は入球しがたい閉鎖状態になっており、大当たりの際に遊技球が入球しやすい所定の開放
状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３４】
遊技盤６１には、内レール部７７と外レール部７８とが取り付けられており、これら内レール部７７と外レール部７８とにより誘導レールが構成され、遊技球発射機構から発射された遊技球が遊技領域の上部に案内されるようになっている。図５に示すように、後述する本発明の遊技球案内部材ユニット７０１が設けられている。
【００３５】
遊技球発射機構８０は、図５に示すように、樹脂ベース４１における窓孔５１の下方に取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００３６】
樹脂ベース４１の前面における回動基端側にはその上端部及び下端部に支持金具４２，４３が取り付けられており、これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３７】
＜遊技機前面ユニット２３＞
ここで、遊技機前面ユニット２３の構成について説明する。図８は遊技機前面ユニット２３の背面図である。
遊技機前面ユニット２３は遊技機ベースユニット２２の前面側全体を覆うようにして設けられている。遊技機前面ユニット２３には、図１に示すように、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３８】
遊技機前面ユニット２３における窓パネル部９１の下方には、手前側へ膨出した上側膨出部９５と下側膨出部９６とが上下に並設されている。上側膨出部９５内側には上方に開口した上皿９５ａが設けられており、下側膨出部９６内側には同じく上方に開口した下皿９６ａが設けられている。上皿９５ａは、後述する払出装置より払い出された遊技球を一旦貯留し、一列に整列させながら後述する遊技球発射機構側へ導くための機能を有する。
また、下皿９６ａは、上皿９５ａ内にて余剰となった遊技球を貯留する機能を有する。なお、下側膨出部９６の右方には、上述した遊技球発射ハンドル８４が設けられている。
【００３９】
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４０】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。前面側通路ユニット２７１の詳細については後に説明する。
【００４１】
＜遊技機ベースユニット２２の背面構成＞
次に、遊技機ベースユニット２２の背面構成について図７を用いて詳細に説明する。
【００４２】
樹脂ベース４１の背面における回動先端側には既に説明した施錠装置３１が設けられている。また、樹脂ベース４１の中央には上記のとおり遊技盤６１が取り付けられている。
【００４３】
遊技盤６１の中央に配置された可変表示ユニット６７には、図３及び図７に示すように、センターフレーム７２を後方から覆う合成樹脂製のフレームカバー１００が後方に突出させて設けられており、フレームカバー１００に対して後側から上述した図柄表示装置７１が取り付けられているとともに、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００４４】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００４５】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる基板ボックス１０８に収容されて構成されている。なお、当該基板ボックス１０８には、当該基板ボックスの開放痕跡手段としてカシメ構造や図示しない封印シールが設けられているとともに、取付台１０６に対する主制御装置１０７の離脱痕跡手段としてカシメ構造が設けられている。
【００４６】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００４７】
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。これら軸受け金具１１１〜１１３に対して軸支させて遊技機ベースユニット２２には裏パックユニット２４が取り付けられている。裏パックユニット２４により、図５に示すように、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００４８】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた締結具１１７（図９参照）を締結させることによっても裏パックユニット２４が遊技機ベースユニット２２に固定される。
【００４９】
＜裏パックユニット２４＞
次に、裏パックユニット２４の構成について詳細に説明する。図９は裏パックユニット２４の正面図である。図１０は裏パックユニット２４の分解斜視図である。
【００５０】
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５１】
第１裏パックユニット１２１と第２裏パックユニット１４１には、図９に示すように、それぞれ軸金具１２３，１３９が設けられており、それら軸金具１２３，１３９はそれぞれ個別に軸受け金具１１１〜１１３に支持されている。これにより、第１裏パックユニット１２１と第２裏パックユニット１４１とは、遊技機ベースユニット２２に対してそれぞれ個別に回動可能となっている。
【００５２】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５３】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成
樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５４】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５５】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５６】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５７】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５８】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５９】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００６０】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６１】
払出制御装置１４６は、基板ボックス１４８内に払出装置１３５を制御する払出制御基
板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６２】
電源及び発射制御装置１４７は、基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６３】
＜遊技球案内部材ユニット７０１の構成＞
図１１は実施例１のパチンコ機１０における誘導レール（内レール部７７、外レール部７８）、遊技球案内部材ユニット７０１と遊技盤６１を示す正面図である。図１２は実施例１の遊技球案内部材ユニット７０１を示す拡大正面図である。
実施例１のパチンコ機１０は、遊技盤６１に遊技球ｂを遊技領域に誘導する誘導レール（内レール部７７、外レール部７８）の上端に隣接して実施例１の遊技球案内部材ユニット７０１が取り付けられている。遊技盤６１の内レール部７７、外レール部７８の内側（遊技領域の誘導レール）には、図６に示したように、種々の盤面部品、例えば図柄表示装置７１、大入賞口６３、この大当たりのトリガとなる始動口６４，６５、一般入賞口６２、ランプ等が設けられている。
【００６４】
実施例１の遊技球案内部材ユニット７０１は、例えば合成樹脂製の材質から成る略へ字形状の案内部材本体７０２と、この案内部材本体７０２の上面に遊技球を案内するレールが形成され、更に緩衝材７０４が一体的に取り付けられたものである。この案内部材本体７０２は、遊技盤６１において誘導レール（外レール部７８）の右側上部分の下方位置に取り付けられる。遊技球発射機構８０により弱く打ち出された遊技球ｂを遊技領域の右側位置に案内するために、この位置に配置した。なお、外レール部７８は遊技球案内部材ユニット７０１が位置する部分までの途中で切れた状態にしてもよい。
【００６５】
実施例１の遊技球案内部材ユニット７０１は、遊技球の左打ちを邪魔しないように遊技領域の上部の右側のみに配置する。案内部材本体７０２（金属製レール７０５）の左端が、遊技領域の上部中央に位置するように配置する。一方、案内部材本体７０２（金属製レール７０５）の右端は、遊技球の流下を邪魔しないように、図柄表示装置７１（液晶画面）の右端上方に位置するように配置する。遊技者による遊技球の「左打ち」と「右打ち」を可能にするためである。そこで、大きな液晶画面を有する図柄表示装置７１が遊技機１０の遊技領域内に配置されているときでも、容易に「右打ち」できるようになる。
【００６６】
＜案内部材本体７０２の形状＞
実施例１の遊技球案内部材ユニット７０１を構成する案内部材本体７０２は、遊技球ｂを転がす部分であり、その上面で遊技球ｂが円滑に転がるように円弧形状に形成され、図示例では、ここに円弧形状の金属製レール７０５を取り付けられている。この案内部材本体７０２（金属製レール７０５）の円弧形状の曲率は、この案内部材本体７０２が配置される上方に位置する誘導レール（外レール部７８）の円弧形の曲率と同じにする。これは
誘導レール（外レール部７８）による遊技球の軌道と合わせるためである。また、本来のパチンコ機１０（遊技機）としてのデザイン性を損なわないようにするためでもある。しかし、遊技機１０のデザインに合わせて直線形状、又は略山形状にすることは可能である。なお、案内部材本体７０２の下側は、図柄表示装置７１（液晶画面）が配置されるため、案内部材本体７０２は全体として、弓型の形状が好ましい。
【００６７】
案内部材本体７０２の上に取り付けられた金属製レール７０５は、案内部材本体７０２の上面の円弧形状の曲率と合わせている。そこで、この金属製レール７０５は、例えば合成樹脂製の案内部材本体７０２の上面との間に隙間を開けて取り付けられることで、この金属製レール７０５が撓ることにより遊技球の衝撃を吸収することができる。
【００６８】
また、図示していないが、金属製レール７０５は、合成樹脂製の案内部材本体７０２の上面との間に張り付けることも可能である。案内部材としての耐久性の向上を図ることができる。
【００６９】
＜案内部材本体７０２の変形例＞
図１３は実施例１の案内部材本体７０２の変形例を示す拡大正面図である。
また、図示するように、案内部材本体７０２の上に金属製レール７０５を取り付けず、この合成樹脂材から成る案内部材本体７０２そのままで遊技球を案内するレールとして機能させることも可能である。
【００７０】
＜緩衝材７０４の構成＞
図１４は実施例１の緩衝材７０４を示す拡大正面図である。
案内部材本体７０２の右端には緩衝材７０４が取り付けられている。この緩衝材７０４は遊技球ｂの速度、球勢を減衰させる部材である。本発明の緩衝材７０４は、従来の返しゴムのように強く打ち出された遊技球ｂをはね返すものではなく、案内部材本体７０２（金属製レール７０５）上まで誘導された遊技球ｂの速度を減衰させるものである。
【００７１】
図１４の拡大図に示す緩衝材７０４は、案内部材本体７０２（金属製レール７０５）の幅と略同じ厚みを有する略円筒形状の部材である。この部材は文字通り遊技球ｂの衝突による衝撃を和らげるためにゴム又は軟性の合成樹脂材から成るものである。しかも、この円筒形状の緩衝材７０４は、遊技球ｂの進行方向に回転するようになっている。これは、遊技球がここで停止するという不具合を解消するためである。なお、緩衝材７０４は円筒形状に限定されず、多角柱体を用いることも可能である。
【００７２】
案内部材本体７０２（金属製レール７０５）の右端に、回動自在に円筒形状の緩衝材７０４が取り付けられているが、更にこの金属製レール７０５の転がる面より上方に緩衝材７０４の外周面が飛び出すように配置する。これは円筒形状の緩衝材７０４の遊技球を衝突させてその速度を減衰させるためである。
【００７３】
遊技球ｂは、この緩衝材７０４の回転と共に、又はこの緩衝材７０４の外周面を転がりながら遊技領域の右側を流下する。図１４に示すように、緩衝材７０４の金属製レール７０５の転がる面からの突出高さｈは、遊技球ｂの半径ｄより短くする。この半径ｄの半分程度の突出高さｈが好ましい。これより短いと緩衝材７０４の緩衝機能が作用せず、金属製レール７０５を転がる遊技球ｂの速度を減衰することができない。逆にこれより長いと緩衝材７０４の位置で遊技球ｂが詰まり、これが原因していわゆる「ぶどう」状態になりやすいからである。
【００７４】
＜遊技球案内部材ユニット７０１の取付位置＞
実施例１の遊技球案内部材ユニット７０１は、遊技盤６１（遊技領域）に取り付ける。
例えば、案内部材本体７０２に開けたねじ挿通孔７０６でねじ止めにする。または、案内部材本体７０２を接着剤で取り付ける。遊技球案内部材ユニット７０１は案内部材本体７０２に緩衝材７０４が一体的に取り付けられた構造であるので、これを遊技盤６１（遊技領域）に容易に取り付けることができる。
あるいは、この遊技球案内部材ユニット７０１を、センターフレーム７２の裏面に取り付けることもできる。
【００７５】
＜誘導レールの形状＞
実施例１の遊技球案内部材ユニット７０１は、誘導レール（外レール部７８）の下に案内部材本体７０２を配置し、この案内部材本体７０２の湾曲面に沿って金属製レール７０５を取り付けたものである。この外レール部７８の下面と金属製レール７０５の間に遊技球ｂが通過できる程度の間隔が必要である。なお、遊技球ｂの詰まりを防止すべく、２個の遊技球ｂは通過できない程度にする。即ち、外レール部７８の下面と金属製レール７０５の間隔は、遊技球ｂの直径の２倍より狭い間隔がよい。
【００７６】
誘導レール（外レール部７８）が遊技球案内部材ユニット７０１の上方まで取り付けられていない遊技機１０では、センターフレーム７２の上部における誘導レールに相当する位置を円弧形状に形成し、金属製レール７０５の間に遊技球ｂが通過できる程度の間隔を開けて遊技球案内部材ユニット７０１を取り付ける。
【００７７】
実施例１の遊技球案内部材ユニット７０１の緩衝材７０４の周囲についても、図１４に示すように、この緩衝材７０４の外形形状に合わせてセンターフレーム７２の上部における遊技球ｂの通路を形成する。この通路に遊技球ｂの詰まりを防止すべく、２個の遊技球ｂが同時に通過できない程度にする。即ち、緩衝材７０４の外周面と通路との間隔は、遊技球ｂの直径の２倍より狭い間隔がよい。
【００７８】
＜緩衝材７０４の変形例＞
図１５は実施例１の緩衝材７０４の変形例を示す拡大正面図である。
遊技球案内部材ユニット７０１を構成する緩衝材７０４は、案内部材本体７０２の右端において回動自在になる円筒形状の部材の構成に限定されない。案内部材本体７０２の右端に弾性部材を固定した固定緩衝材７１１を用いることも可能である。この固定緩衝材７１１は、金属製レール７０５上まで誘導された遊技球ｂの速度を減衰させるように、弾力性を有する部材を、案内部材本体７０２の右端に取り付けたものである。この固定緩衝材７１１は、金属製レール７０５の面より上方へ突出するように形成し、この位置で遊技球ｂの球勢を低減し、遊技球ｂがこの固定緩衝材７１１を容易に乗り越え、遊技領域の右側を流下し得るようにする。この固定緩衝材７１１で遊技球ｂが詰まらないよう形状であれば、図示例に限定されず種々の形状に変形することができる。
【００７９】
＜返し部７１２の構成＞
図１６は実施例１の案内部材本体７０２の変形例を示す拡大正面図である。
遊技球案内部材ユニット７０１は、案内部材本体７０２（金属製レール７０５）の左側に、遊技球ｂの衝突の衝撃を低減する弾性部材からなる返し部７１２を形成することができる。この返し部７１２に金属製レール７０５に届かなかった遊技球ｂが当たり、遊技領域の左寄りに跳ね返されるようになっている。そこで、遊技領域の左側に向けた遊技球ｂの跳ね返しが良好に行われるようになっている。また、合成樹脂製の遊技球案内レール７０３の破損も防止できる。
【実施例２】
【００８０】
＜案内部材本体７０２の構成＞
図１７は実施例２の遊技球案内部材ユニット７２１を示す拡大正面図である。
実施例２の遊技球案内部材ユニット７２１は、実施例１の合成樹脂製の案内部材本体７０２に代えて、金属製の案内部材本体７２２にした。この構成では、実施例１の金属製レール７０５が不要になる。この金属製案内部材本体７２２の右側に緩衝材７２４が取り付けられた構造のものである。
【００８１】
実施例２の金属製案内部材本体７２２は弓型の形状に成り、例えば1枚の金属板を曲折し、その一端部に緩衝材７２４を取り付けたものである。この実施例２の金属製案内部材本体７２２を遊技盤１０（遊技領域）又はセンターフレーム７２の裏面に取り付ける際に、金属製案内部材本体７２２の一端部と他端部それぞれに開けたねじ挿通孔７２５を用いる。
【００８２】
実施例２の遊技球案内部材ユニット７２１では、金属製案内部材本体７２２がコンパクトになるために、その下方位置に大きな空間を形成することができる。そこで、大きな図柄表示装置７１（液晶画面）を配置するときに適している。
【００８３】
＜緩衝材の変形例＞
図１８は実施例２の緩衝材７２４の変形例を示す拡大正面図である。
遊技球案内部材ユニット７２１を構成する緩衝材は、案内部材本体７２２の右端において回動自在になる円筒形状の部材の構成に限定されない。案内部材本体７２２の右端に弾性部材を固定した固定緩衝材７３１を用いることも可能である。この固定緩衝材７３１は、案内部材本体７２２上まで誘導された遊技球ｂの速度を減衰させるように、弾力性を有する部材を、案内部材本体７２２の右端に取り付けたものである。この固定緩衝材７３１は、案内部材本体７２２の上面（延長面）より上方へ突出するように形成し、この位置で遊技球ｂの球勢を低減し、遊技球ｂがこの固定緩衝材７３１を容易に乗り越え、遊技領域の右側を流下し得るようにする。この固定緩衝材７３１で遊技球ｂが詰まらないような形状であれば、図示例に限定されず種々の形状に変形することができる。
【００８４】
＜返し部７３２の構成＞
図１９は実施例２の案内部材本体７２２の変形例を示す拡大正面図である。
遊技球案内部材ユニット７２１は、案内部材本体７２２の左側に、遊技球ｂの衝突の衝撃を低減する弾性部材からなる返し部７３２を形成することができる。この返し部７３２に遊技球案内部材ユニット７２１に届かなかった遊技球ｂが当たり、遊技領域の左寄りに跳ね返されるようになっている。そこで、遊技領域の左側に向けた遊技球ｂの跳ね返しが良好に行われるようになっている。
【００８５】
なお、上述した実施の形態の記載内容に限定されず、例えば次のように実施してもよい。
上記実施の形態では、図柄表示装置を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿及び下皿が設けられているのではなく、単一の受け皿が設けられたパチンコ機にも、本発明を適用できる。
【００８６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００８７】
遊技機Ａ
遊技機Ａは、パチンコ、スロットマシンあるいはメダルの代わりに遊技球でスロットマシンの遊技をするパロット等の遊技機に関する。
【００８８】
遊技機の一種であるパチンコ機は、球受け皿内の遊技球を遊技領域の上流へ向けて発射し、遊技領域（遊技盤）を流下する遊技球が遊技領域に配された入賞口に入球すると、遊技者は所定個数の賞球を受けることができる遊技機である。この遊技領域の外周縁には誘導レールが設けられ、遊技球発射機構から発射されて遊技領域に進入した遊技球は遊技領域内を流下する。遊技球発射ハンドルを最大強さとなるように操作することにより遊技球発射機構から発射（右打ち）された遊技球が強力な力で発射されたときは、遊技球は誘導レールの上部に沿って右方向へ移動し、遊技領域の右上部分に配置された返しゴムにて跳ね返って遊技領域内に落下するようになっている。
【００８９】
遊技球発射機構から遊技領域の上部に発射された遊技球が、この遊技領域の右側に配置された入賞口に入球し易くする遊技機について、例えば特許文献２の特開２０１０−２２５８１の「遊技盤ユニット、及びパチンコ遊技機」が提案されている。
【００９０】
【特許文献２】特開２０１０−２２５８１
【００９１】
しかし、遊技領域の右側に入賞口が配置されている遊技機では、遊技球発射機構の弾発力が低下して右打ちできないと遊技の興趣を削がれるという問題があった。
特許文献１の「遊技盤ユニット」は強く打ち出された遊技球の球勢を減衰するものであり、このような遊技球発射機構の弾発力が低下したものを解消するものではなかった。
【００９２】
本発明は、上述した問題点等を解決するために創案されたものである。すなわち、本発明の目的は、誘導レールから遊技領域へ打ち出された遊技球をこの遊技領域の右側に誘導しやすい遊技機を提供することにある。
【００９３】
遊技機Ａ１は、遊技球発射ハンドルで弾発力を調節して発射させた遊技球を、遊技機の遊技領域へ導く誘導レールを備えた遊技機であって、
打ち出された遊技球を前記遊技領域の上部右側まで案内する遊技球案内部材と、
前記遊技球案内部材に配置された、遊技球の速度を減衰させる緩衝材と、を備えた、ことを特徴とする遊技機。
【００９４】
遊技機Ａ１では、弱く打ち出された遊技球について、遊技球案内部材に到達すれば、この遊技球案内部材の上面を転がって遊技領域の右側まで案内することができる。一方、強く打ち出された遊技球については、遊技球案内部材の右端に位置する緩衝材に当接させてから遊技領域の右側まで案内する。その後、遊技球を遊技領域の右側に落下させることができる。なお、遊技球発射ハンドルの操作で遊技球発射機構から弱く打ち出したときに限定されず、遊技球発射機構の弾発力が低下したときでも右打ちすることができる。
【００９５】
遊技機Ａ２は、前記遊技球案内部材に前記緩衝材が一体的に取り付けられた構造である、ことを特徴とする遊技機Ａ１の遊技機。
遊技機Ａ２では、緩衝材が遊技球案内部材に一体的に取り付けられたいわゆるユニット化した構造では、遊技盤（遊技領域）にこのユニットを容易に取り付けることができる。またはセンターフレームの裏面にこのユニットを容易に取り付けることができる。
【００９６】
遊技機Ａ３は、前記緩衝材は、弾力性を有する円筒形状の部材であり、遊技球の進行方向に回転する構造である、ことを特徴とする遊技機Ａ１又はＡ２の遊技機。
遊技機Ａ３では、緩衝材が遊技球の進行方向に回転する円筒形状の部材では、遊技球案
内部材上を転がりながら案内された遊技球をゆっくりと遊技領域の右側に落下させることができる。一方、強く打ち出された遊技球は、この回転する緩衝材に当接させ、速度、球勢をある程度減衰させることができる。
【００９７】
遊技機Ａ４は、前記遊技球案内部材の上面に、金属製レールを配置した、ことを特徴とする遊技機Ａ１、Ａ２又はＡ３の遊技機。
遊技機Ａ４では、遊技球案内部材の上面に配置された金属製レールでは、案内部材として耐久性の向上を図ることができる。
【００９８】
因みに、特徴Ａ１乃至特徴Ａ４のいずれか１つ又はそれらの組み合わせを上記特徴Ａ１乃至Ａ４に適用してもよい。
【００９９】
以下に、以上の各特徴を適用し得る遊技機の基本構成を示す。
【０１００】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（始動口等）を遊技球が通過した場合に遊技者に特典を付与する遊技機。
【０１０１】
遊技機１０、Ａ１〜Ａ４のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された始動口に入賞（又は始動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１０２】
遊技機１０、Ａ１〜Ａ４のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０３】
遊技機１０、Ａ１〜Ａ４のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１０４】
本発明の遊技機は、主にパチンコ機の遊技機に利用することができるが、遊技球発射ハンドルを有する構成の遊技機であれば、パチンコ機以外の様々な遊技機に利用することができる。
【符号の説明】
【０１０５】
１０  遊技機としてのパチンコ機
６１  遊技盤
７２  センターフレーム
７７  内レール部（誘導レール）
７８  外レール部（誘導レール）
８０  遊技球発射機構
８４  遊技球発射ハンドル
７０１  遊技球案内部材（ユニット）
７０２  案内部材本体
７０４  緩衝材
７０５  金属製レール
７１１  固定緩衝材
７１２  返し部
７２１  遊技球案内部材（ユニット）
７２２  案内部材本体
７２３  金属製レール
７２４  緩衝材
７３１  固定緩衝材
７３２  返し部
ｂ  遊技機
ｈ  緩衝材の突出高さ
ｒ  遊技球の半径
【図１】
2019150687.tif 000003
【図２】
2019150687.tif 000004
【図３】
2019150687.tif 000005
【図４】
2019150687.tif 000006
【図５】
2019150687.tif 000007
【図６】
2019150687.tif 000008
【図７】
2019150687.tif 000009
【図８】
2019150687.tif 000010
【図９】
2019150687.tif 000011
【図１０】
2019150687.tif 000012
【図１１】
2019150687.tif 000013
【図１２】
2019150687.tif 000014
【図１３】
2019150687.tif 000015
【図１４】
2019150687.tif 000016
【図１５】
2019150687.tif 000017
【図１６】
2019150687.tif 000018
【図１７】
2019150687.tif 000019
【図１８】
2019150687.tif 000020
【図１９】
2019150687.tif 000021